(57)【特許請求の範囲】
【請求項１】
外形が略円形状の掃除機本体に、
有底筒状のケース本体と前記ケース本体の開口面に嵌合されるケースカバーからなるケースと、前記ケース内に回転可能に設けられた回転リールと、前記回転リールを一方向に回転付勢するゼンマイバネとからなる電源コード巻取り装置を内蔵し、
前記電源コード巻取り装置の外径と前記掃除機本体の外径を略同一とし、
前記回転リールの芯部分の形状は、前記電源コードを一巻きすると略円形状となるように前記電源コードの引き出し部を前記電源コードの線径分内側にずらし徐々に広げていく形状とし、
前記ケース本体と前記ケースカバーの間で回転自在に保持された回転ローラーを、前記回転リールの外側に複数均等に配置することで、前記電源コードを一段渦巻き状に前記回転リールに巻き取るように構成した電気掃除機。
【請求項２】
電源コード巻取り装置は、電源コードを巻き取った時の電源プラグの収納位置を、前記電源コードの巻取り面と同一面とした請求項１に記載の電気掃除機。
【請求項３】
電源コード巻取り装置の外径寸法を２７０〜２９０ｍｍとした請求項１または２に記載の電気掃除機。
【発明の詳細な説明】
【技術分野】
【０００１】
本発明は、電気掃除機に関するもので、特に、電源コード巻取り装置を有する電気掃除機に関するものである。
【背景技術】
【０００２】
従来のこの種の電気掃除機は、複数段で電源コードを巻き取る電源コード巻取り装置を備えていた（例えば、特許文献１、２参照）。
【特許文献１】特開平２−１５６９２１号公報
【特許文献２】特開平４−３２９９２０号公報
【発明の開示】
【発明が解決しようとする課題】
【０００３】
しかしながら、上記のような従来の電気掃除機の構成では、電源コード巻取り装置内で電源コードが重なりあい、引き出せなくなることがあったり、電源コードを多段に巻き取ることで、電源コード巻取り装置自体の厚みが大きくなり、結果として電気掃除機本体の高さを高くする必要があり、使い勝手の悪い電気掃除機となっていた。
【０００４】
本発明は、上記従来の課題を解決するものであって、電気掃除機本体の形状や空間を有効に活用して電源コードをスムーズに巻き取ることができる小型の電気掃除機を提供する事を目的とする。
【課題を解決するための手段】
【０００５】
上記従来の課題を解決するために、本発明の電気掃除機は、外形が略円形状の掃除機本体に、有底筒状のケース本体と前記ケース本体の開口面に嵌合されるケースカバーからなるケースと、前記ケース内に回転可能に設けられた回転リールと、前記回転リールを一方向に回転付勢するゼンマイバネとからなる電源コード巻取り装置を内蔵し、前記電源コード巻取り装置の外径と前記掃除機本体の外径を略同一とし、前記回転リールの芯部分の形状は、前記電源コードを一巻きすると略円形状となるように前記電源コードの引き出し部を前記電源コードの線径分内側にずらし徐々に広げていく形状とし、前記ケース本体と前記ケースカバーの間で回転自在に保持された回転ローラーを、前記回転リールの外側に複数均等に配置することで、前記電源コードを一段渦巻き状に前記回転リールに巻き取るように構成したもので、電源コード巻取り装置内での電源コードの重なりを防止することができ、スムーズに電源コードの出し入れができるようになる。また、回転ローラーを配置することによって、ゼンマイバネの性能が劣化し付勢力が衰えてきたときに発生する、電源コード巻取り時に電源コードが外へと広がりケース本体の内壁に接触することを防止することができ、電源コードの巻き取り時の接触抵抗を下げ、より電源コード巻取り性を良くすることができる。あわせて円形形状の掃除機本体との組み合わせにより、掃除機本体の空間を有効活用でき、高さ／外径を最小限に抑えることができるものである。
【発明の効果】
【０００６】
本発明の電気掃除機は、電源コード巻取り装置内でのコードの重なりを防止しスムーズに電源コードの出し入れができるとともに、電気掃除機本体の高さおよび外径を最小限に抑えることができる。
【発明を実施するための最良の形態】
【０００７】
第１の発明は、外形が略円形状の掃除機本体に、有底筒状のケース本体と前記ケース本体の開口面に嵌合されるケースカバーからなるケースと、前記ケース内に回転可能に設けられた回転リールと、前記回転リールを一方向に回転付勢するゼンマイバネとからなる電源コード巻取り装置を内蔵し、前記電源コード巻取り装置の外径と前記掃除機本体の外径を略同一とし、前記回転リールの芯部分の形状は、前記電源コードを一巻きすると略円形状となるように前記電源コードの引き出し部を前記電源コードの線径分内側にずらし徐々に広げていく形状とし、前記ケース本体と前記ケースカバーの間で回転自在に保持された回転ローラーを、前記回転リールの外側に複数均等に配置することで、前記電源コードを一段渦巻き状に前記回転リールに巻き取るように構成したもので、電源コード巻取り装置
内での電源コードの重なりを防止することができ、スムーズに電源コードの出し入れができるようになる。また、回転ローラーを配置することによって、ゼンマイバネの性能が劣化し付勢力が衰えてきたときに発生する、電源コード巻取り時に電源コードが外へと広がりケース本体の内壁に接触することを防止することができ、電源コードの巻き取り時の接触抵抗を下げ、より電源コード巻取り性を良くすることができる。あわせて円形形状の掃除機本体との組み合わせにより、掃除機本体の空間を有効活用でき、高さ／外径を最小限に抑えることができるものである。また、電源コードを巻き取ったときの電源コードの最外形の形状を円となるようにすることで、円形の電源コード巻取り装置の内壁と電源コードとの隙間を均一化できるとともに、電源コード巻取り装置の外形を小さくすることができるものである。
【０００８】
第２の発明は、特に、第１の発明の電源コード巻取り装置において、電源コードを巻き取った時の電源プラグの収納位置を、前記電源コードの巻取り面と同一面としたもので、電源コードの出し入れ時の低抵抗化を図り、操作性／巻取り性能を向上させることができる。
【０００９】
第３の発明は、特に、第１または第２の発明の電源コード巻取り装置の外径寸法を２７０〜２９０ｍｍとしたもので、一般的に家庭用電気掃除機に使用される電源コード（５ｍ）をスムーズに収納することができる。
【００１０】
以下、本発明の実施の形態について、図面を参照しながら説明する。なお、この実施の形態によって本発明が限定されるものではない。
【００１１】
（実施の形態１）
本発明の第１の実施の形態における電気掃除機について、図１〜図５を用いて説明する。
【００１２】
図１は、本実施の形態１における電気掃除機の平面図と側面図、図２は、同電気掃除機の中央断面図、図３は、同電気掃除機の制動手段の要部斜視図、図４は、同電気掃除機の電源コード巻取り装置の平面図（ケースカバーを省いた状態）と断面図、図５は、同電源コード巻取り装置の拡大断面図である。
【００１３】
図１、２において、本実施の形態における電気掃除機の掃除機本体１は、略円形で、円形形状をした本体下部１ａには、掃除機本体１と同心円状でかつ掃除機本体１の外形にほぼ等しい外径の電源コード巻き取り装置３が内蔵されると共に、走行車輪２が設けられている。本実施の形態では、電源コード巻取り装置３は、後述の電源コード２４を、一段渦巻き状に巻き取るものである。
【００１４】
走行車輪２は、本体下部１ａの中央に配され進行方向（ホース（図示せず）が引っ張られる方向）で回転自在なセンター車輪４と、このセンター車輪４を中心に放射状に配置されると共に、各々３６０度回動自在な５つのキャスター５で構成されている。
【００１５】
本実施の形態では、電源コード巻取り装置の外径をφ２７０〜φ２９０ｍｍとしている。また、掃除機本体１の、電源コード巻取り装置３よりも上側の部分の外径寸法を電源コード巻取り装置３の外径寸法と同一もしくはそれよりも大きくしている。
【００１６】
さらに、センター車輪４は、バネ６により、下方（走行面方向に）に付勢されている。電源コード巻取り装置３は、走行車輪２の上段に配置され、電源プラグ７が、掃除機本体１の後部に配置されている。さらに、電源コード巻取り装置３の上段（本体上部）の前方には、塵埃を収容する集塵袋８を備えた集塵室９を、後方には、塵埃を吸引するための電
動送風機１０がそれぞれ配置され、集塵室９は、開閉自在な集塵蓋１１で覆われている。
【００１７】
次に、電源コード巻取り装置３の構成について図２〜４を用いて説明する。
【００１８】
図２〜図５において、電源コード巻取り装置３は、有底筒状のケース本体１２と、ケース本体１２の開口面に嵌合されるケースカバー１３からなるケース内に、回転リール１４が回転可能に、かつ一方向に回転付勢された状態で配置されている。回転リール１４の回転付勢は、回転リール１４の下側に配置されたゼンマイバネ１５にて行っている。また、回転リール１４の上面には、回転面１６に対し垂直方向に突出した制動面１７を、回転リール１４と一体で形成しており、この制動面１７は、他の部品と接触しないように一定の隙間を設けて、ケースカバー１３で覆われている。ただし、制動面１７の一部はケースカバー１３より露出し、制動手段１８によって制動面１７の回転規制を行うことができる。
【００１９】
制動手段１８は、制動面１７に接触し制動面１７の回転を抑えるゴムローラー１９と、ゴムローラー１９を制動面１７から遠ざけるための回動自在な制動レバー２０と、制動レバー２０を介してゴムローラー１９を制動面１７に接触する方向に付勢する制動バネ２１で構成している。つまり、制動レバー２０を動かすと、制動レバー２０は軸２０ａを支点として回動し、ゴムローラー１９は制動面１７から離れるので、ケース本体１２とケースカバー１３とで挟持された回転リール１４は、ゼンマイバネ１５の付勢力によって、電源コード２４を巻き取っていくことになる。
【００２０】
電源コード２４の巻取りを途中で止めたいときには、制動レバー２０から手を離して、ゴムローラー１９を制動面１７に接触させることで、回転リール１４を止めることができるというものである。
【００２１】
次に、電源コード２４を巻き取る回転リール１４の部分の形状についてであるが、まず、回転リール１４の芯部分２２の形状（電源コード２４を巻きつけるベース形状）は、電源コード２４を一巻きすると略円形状となるように、電源コード２４の引き出し部２３を、電源コード２４の線径分内側にずらし、徐々に広げていく形状としている。このようにすることによって、図３に示すように電源コード２４を巻き取った時のケース本体１２と電源コード２４との隙間ａをほぼ均一に保つことができる。
【００２２】
また、電源コード２４を巻き取った時の電源プラグ７の収納位置を、電源コード２４の巻取り面と同一面となるようにしている。
【００２３】
また、回転リール１４の幅については、芯部分２２の幅ｂ１を、電源コード２４の線径φＸ＋０．５〜１ｍｍ程度の隙間分とし、回転リール１４の最外径部分の幅ｂ２は、電源コード２４の線径φＸ＋１〜３ｍｍ程度の隙間分、となる範囲で設定している。
【００２４】
この隙間設定によって、電源コード２４の巻取り時に、電源コード２４の表面に付着して電源コード巻取り装置３内に進入してくる付着物があっても、電源コード２４の巻取りに支障なく、かつ電源コード２４の上下方向での重なりを防止できるものとなっている。
【００２５】
以上のように構成された本実施の形態における電気掃除機の動作は、以下の通りである。
【００２６】
電動送風機１０によって吸引された塵埃は、集塵室９内の集塵袋８に収容される。集塵袋８は、集塵蓋１１を開閉し、容易に交換できる。また、掃除機本体１の走行時には、本体下部１ａの中央に配置されたセンター車輪４には、バネ６により下方に付勢されているので、床面の凹凸に追従する機能がある。また、床面に対して確実に接地させることとあ
わせて、一進行方向にのみ回転させることで、直進安定性を確保すると共に、センター車輪４を回転軸として、その場で、掃除機本体１を３６０度回転でき、非常にスムーズに、掃除機本体１を走行させることが可能である。
【００２７】
以上のように本実施の形態における電気掃除機によれば、電源コード巻取り装置３の外径と掃除機本体１の外径を略同一としたので、電源コード巻取り装置３内での電源コード２４の重なりを防止することができ、スムーズに電源コード２４の出し入れができるようになる。あわせて円形形状の掃除機本体１との組み合わせにより、掃除機本体１の空間を有効活用でき、高さ／外径を最小限に抑えることができるものである。
【００２８】
また、電源コード巻取り装置３の電源コード２４を巻く芯部分２２において、電源コード２４を一巻きすると略円形状となるように、引き出し部２３を電源コード２４の線径分内側に変形させたので、電源コード２４を巻き取ったときの電源コード２４の最外形の形状を円となるようにすることで、円形の電源コード巻取り装置３の内壁と、電源コード２４との隙間を均一化できるとともに、電源コード巻取り装置３の外形を小さくすることができるものである。
【００２９】
また、電源コード２４を巻き取った時の電源プラグ７の収納位置を、電源コード２４の巻取り面と同一面としたので、電源コード２４の出し入れ時の低抵抗化を図り、操作性／巻取り性能の向上ができるものである。
【００３０】
又、電源コード巻取り装置３の外径寸法を２７０〜２９０ｍｍとしたので、一般的に家庭用電気掃除機に使用される電源コード（５ｍ）をスムーズに収納することが出来る。
【００３１】
また、掃除機本体１の電源コード巻取り装置３よりも上側の部分の外径寸法を電源コード巻取り装置３の外径寸法と同一もしくはそれよりも大きくしたので、電気掃除機を使用中に電源コード２４が掃除機本体１の上部に巻きついてしまうことを防止できるものである。
【００３２】
（実施の形態２）
図６は、本発明の実施の形態２における電気掃除機の電源コード巻き取り装置の平面図（ケースカバーを外した状態）と断面図である。尚、上記第１の実施の形態における電気掃除機と同一部品については、同一符号を付してその説明を省略する。
【００３３】
本実施の形態は、図６に示すように、電源コード巻き取り装置３内の回転リール１４の外側に、５個の回転ローラー２６を均等に配置したものである。この回転ローラー２６は、ケース本体１２とケースカバー１３のそれぞれに形成された回転軸２７で回転自在に保持されている。
【００３４】
回転ローラー２６による動作としては、回転リール１４を回転付勢しているゼンマイバネ１５が劣化し、付勢力が衰えてきたときに、電源コード２４の巻取り時に外へと広がる場合がある。この場合、回転ローラー２６がないとケース本体１２の内壁に電源コード２４が接触することになり、巻取り性を悪化させてしまうことになるが、本実施の形態のように、回転ローラー２６を配置することによって接触抵抗を抑え、ゼンマイバネ１５の性能が劣化した場合でも電源コード２４をスムーズに、且つ確実に巻き取ることができるように配慮したものである。
【産業上の利用可能性】
【００３５】
以上のように、本発明にかかる電気掃除機は、電源コード巻取り装置内での電源コードの重なりを防止し、スムーズに電源コードの出し入れができるとともに、電気掃除機本体
の高さおよび外径を最小限に抑え使い勝手の良いもので、家庭用、業務用、店舗用の各種電気掃除機に適用できる。
【図面の簡単な説明】
【００３６】
【図１】（ａ）本発明の実施の形態１における電気掃除機の平面図、（ｂ）同電気掃除機の側面図
【図２】同電気掃除機の中央断面図
【図３】同電気掃除機の要部斜視図
【図４】（ａ）同電気掃除機の電源コード巻取り装置の平面図（ケースカバーを省いた状態）、（ｂ）同電源コード巻取り装置の断面図
【図５】同電源コード巻取り装置の拡大断面図
【図６】（ａ）本発明の実施の形態２における電気掃除機の電源コード巻取り装置の平面図（ケースカバーを省いた状態）、（ｂ）同電源コード巻取り装置の断面図
【符号の説明】
【００３７】
１    掃除機本体
３    電源コード巻取り装置
７    電源プラグ
１４  回転リール
２２  芯部分
２４  電源コード
２６  回転ローラー
【図１】
0005076748.tif 000002
【図２】
0005076748.tif 000003
【図３】
0005076748.tif 000004
【図４】
0005076748.tif 000005
【図５】
0005076748.tif 000006
【図６】
0005076748.tif 000007